(57)【特許請求の範囲】
【請求項１】
内容物を収納又は排出しうる孔部を有する収納容器本体と、上記内容物が収納されている場合に上記孔部を閉止しうる第一の閉止面部及び、上記第一の閉止面部の背面部側に設けられた第二の閉止面部を有する閉止部材とを備えた収納容器であって、
上記閉止部材は、上記内容物が上記孔部から排出され、収納容器本体が上記孔部が下方に向かうように配置された場合には、上記第二の閉止面部により上記孔部を閉止すると共に、上記収納容器本体を載置面上に支持しうる脚部として使用されるように構成され、
上記収納容器本体は透明に形成され、上記第二の閉止面部には、上記孔部を介して収納容器本体内へ挿入しうる装飾物が設けられており、上記収納容器本体内に収納されている内容物を上記孔部から排出した場合には、上記装飾物を上記収納容器内に挿入して配置し、上記収納容器本体を上記閉止部材を脚部として使用して載置面上に載置しうるように構成されていることを特徴とする収納容器。
【発明の詳細な説明】
【技術分野】
【０００１】
本発明は、収納容器に係り、特に、使用後に装飾物の陳列容器として使用できる収納容器に関する。
【背景技術】
【０００２】
従来から、飲料水などの液体を充填したＰＥＴボトルの蓋体に被せ使用するＰＥＴボトルの飾りカバーキャップ等が存在する（特許文献１、特許文献２）。
【０００３】
また、瓶内に船などを納めて、瓶全体をインテリアとして飾るいわゆるボトルシップが存在する（特許文献３）。
【特許文献１】特開２００１−２５３４６１号
【特許文献２】実登３０６６７０９号
【特許文献３】実開平０２−１０９７００号
【発明の開示】
【発明が解決しようとする課題】
【０００４】
ここで、特許文献１、２にかかる発明は、市販のＰＥＴボトルのキャップに人形等が載置された飾りキャップを係合することにより、上記ボトルのキャップに識別力を付して、他人のボトルと見分けがつくようにしたものであるが、上記ＰＥＴボトルの飲料後においては、上記ボトルキャップは用を成したものとして、廃棄される。
【０００５】
また、特許文献３にかかる考案は、瓶の中に帆船など模型を入れた陳列容器であり、瓶の中に帆船等を入れる前においては、上記帆船は、別途保存してあるものであり、瓶の蓋部分においては、特に装飾がなされていない。
【０００６】
そこで、本発明が解決しようとする課題は、収容物が入った状態においては飾りキャップ付き収納容器として用いることができ、収容物の取り出し後においては、装飾物の陳列容器として使用でき、外観が良好で購買意欲を惹起する収納容器の提供を図ることにある。
【課題を解決するための手段】
【０００７】
このような技術的課題解決のため、請求項１の記載の発明にあっては、内容物３５を収納又は排出しうる孔部１１を有する収納容器本体２５と、上記内容物３５が収納されている場合に上記孔部１１を閉止しうる第一の閉止面部２１ａ及び、上記第一の閉止面部２１ａの背面部側に設けられた第二の閉止面部２１ｂを有する閉止部材１２とを備えた収納容器１０であって、上記閉止部材１２は、上記内容物３５が上記孔部１１から排出され、収納容器本体２５が上記孔部１１が下方に向かうように配置された場合には、上記第二の閉止面部２１ｂにより上記孔部１１を閉止すると共に、上記収納容器本体２５を載置面６３上に支持しうる脚部６４として使用されるように構成され、上記収納容器本体２５は透明に形成され、第二の閉止面部２１ｂには、上記孔部１１を介して収納容器本体２５内へ挿入しうる装飾物２０が設けられており、上記収納容器本体２５内に収納されている内容物３５を上記孔部１１から排出した場合には、上記装飾物２０を上記収納容器本体２５内に挿入して配置し、上記収納容器本体２５を上記閉止部材１２を脚部６４として使用して載置面６３上に載置しうるように構成されていることを特徴とする。
【発明の効果】
【０００８】
請求項１記載の発明によれば、収納容器本体に収納されている内容物が孔部から排出され、収納容器本体が上記孔部が下方に向かうように配置された場合には、上記第二の閉止面部により上記孔部を閉止すると共に、上記収納容器本体を載置面上に支持しうる脚部として使用されるように構成されていることから、内容物を孔部から排出させた後においては、上記閉止部材を脚部として使用することにより上記収納容器本体を孔部が下方に向く状態で閉止部材により孔部を閉止しつつ載置面上に収納容器本体を支持した状態で載置することができる。
【０００９】
特に、内容物が収納されている場合には孔部を閉止していない第二の閉止面部に固定された装飾物が外方に配置されると共に、内容物が排出された場合には収納容器内に装飾物が挿入配置された状態で収納容器本体を載置面上に支持することができることから、内容物を排出した後には、上記装飾物を収納容器内に挿入配置して、外部から透明な収納容器本体を介して上記装飾物を鑑賞することができる。
【００１０】
従って、上記閉止部材の上方に載置されたキャラクターや人形等の装飾物２０を上記収納容器１０の外部に露呈させることにより、上記収納容器１０に美的装飾効果を与えることができ、上記収納容器１０から収容物を取り出した使用後においても、上記キャップ１４に載置されたキャラクターや人形等の装飾物２０を上記収納容器１０の内部において陳列することができ上記収納容器１０を上記キャラクターや人形等装飾物２０の陳列容器として利用することができる。
【発明を実施するための最良の形態】
【００１１】
以下、添付図面に示す実施の形態に基づき、本発明にかかる収納容器１０を詳細に説明する。
本実施の形態に係る収納容器１０は、図１及び図２に示すように、内容物を収納又は排出しうる孔部１１を有する収納容器本体２５と、上記内容物３５が収納されている場合に上記孔部１１を閉止しうる第一の閉止面部２１ａ及び、上記第一の閉止面部２１ａの背面部側に設けられた第二の閉止面部２１ｂを有する閉止部材１２とを備えた収納容器１０であって、上記閉止部材１２は、上記内容物３５が上記孔部１１から排出され、収納容器本体２５が上記孔部１１が下方に向かうように配置された場合には、上記第二の閉止面部２１ｂにより上記孔部１１を閉止すると共に、上記収納容器本体２５を載置面６３上に支持しうる脚部６４として使用されるように構成されている。
【００１２】
上記収納容器本体２５は透明に形成され、上記第二の閉止面部２１ｂには、上記孔部１１を介して収納容器本体２５内へ挿入しうる装飾物２０が設けられており、上記収納容器本体２５内に収納されている内容物３５を上記孔部１１から排出した場合には、上記装飾物２０を上記収納容器本体２５内に挿入して配置し、上記収納容器本体２５を上記閉止部材１２を脚部６４として使用して載置面６３上に載置しうるように構成されている。
【実施例】
【００１３】
本実施例において、収納容器１０には、図１に示すように、飲料水３５が収納されているが、飲料水３５が飲まれた後においては、装飾物２０が内部に配置されるように用いられる。
【００１４】
上記収納容器１０は、内容物を収納又は排出しうる孔部１１を有する収納容器本体２５と、上記内容物が収納されている場合に上記孔部１１を閉止しうる第一の閉止面部２１ａ及び、上記第一の閉止面部２１ａの背面部側に設けられた第二の閉止面部２１ｂを有する閉止部材１２とを備えている。
上記閉止部材１２は、上記内容物が上記孔部１１から排出され、収納容器本体２５が上記孔部１１が下方に向かうように配置された場合には、上記第二の閉止面部２１ｂにより上記孔部１１を閉止すると共に、上記収納容器本体２５を載置面６３上に支持しうる脚部６４として使用されるように構成されている。
【００１５】
上記収納容器本体２５は透明に形成され、上記第二の閉止面部２１ｂには、上記孔部１１を介して収納容器本体２５内へ挿入しうる装飾物２０が設けられている。
上記収納容器本体２５内に収納されている内容物を上記孔部１１から排出した場合には、上記装飾物２０を上記収納容器１０内に挿入して配置し、上記収納容器本体２５を上記閉止部材１２を脚部として使用して載置面６３上に載置しうるように構成されている。
【００１６】
図１に示すように、収納容器１０は、略球状に形成された収納容器本体２５と、上記収納容器本体２５内部の内容物を収納又は排出しうる孔部１１と、上記孔部１１を閉止しうる閉止部材１２とにより構成されている。上記収納容器本体２５は、透明又は半透明のＰＥＴ素材により形成されている。本実施例にあっては、ＰＥＴにより形成されている場合を例に説明しているが、ガラス、プラスチック、アクリル等の素材による形成されていてもよい。
図４に示すように、上記孔部１１は、上記収納容器本体２５表面において、平面円形状に設けられている。上記孔部１１の周縁部１６には、上記収納容器１０の表面から上記収容容器１０の外方へ突出するキャップ係止部１７が一体に形成され、上記キャップ係止部１７は、上記収容容器本体２５に設けられた孔部１１の周縁においてリング状に突出形成されており、上記キャップ係止部１７の外側面部にはネジ溝１８が形成されている。
上記キャップ係止部１７は、上記収納容器本体２５の表面から収容容器１０の内方へ向かって突出して形成されていてもよい。
【００１７】
本実施例にあっては、図２及び図５に示すように、上記閉止部材１２は、合成樹脂性のキャップ１４により形成され、キャップ１４は、キャップ本体３１と、このキャップ本体３１上に固定された装飾物２０とにより構成されている。
キャップ本体３１は、外側面部３２が上方に向かって収縮するテーパを有する円環状の側面部２３と、この側面部２３内方において側面部２３の高さ方向の中間部に一体に形成された平面円形状の閉止面部２１ａ，２１ｂとを有している。
上記閉止面部２１ａ，２１ｂは、収納容器本体２５の孔部１１に設けられたキャップ係止部１７の外径寸法Ｌと同一の直径Ｗを有している。
また、上記閉止面部２１と側面部２３の下端部３３との間隔寸法Ｌ１及び、上記閉止面部２１と側面部２３の上端部３４との間隔寸法Ｌ２は上記キャップ係止部１７の高さ寸法Ｈと略同一に形成されている。
上記側面部２３の内側面２４には、キャップ係止部１７への係合部１５ａ，１５ｂを形成するネジ溝１９ａ，１９ｂが上記閉止面部２１の上方及び下方に、夫々、設けられている。
また、本実施例にあっては、上記側面部２３の上端部３４は、キャップ１４を反転させて孔部１１を閉止する場合に、球状に形成された収納容器２５の表面部に密接しうるように、内方に向かって下降し、収納容器２５の表面と略同一の曲率を有する凹面に形成され、上記側面部２３の下端部３３は平面に形成されている。
なお、上記閉止面部２１の上面および下面に、Ｏリングやゴムパッキンを挿入することにより、キャップ１４の装着時にキャップ係止部１７に圧接させることにより、収納容器内に収納した収容物の漏れを防ぐように構成されてもよい。
【００１８】
図２に示すように、上記閉止面部２１の上面側には、台２９が設けられ、上記台２９の上方には装飾物２０が載置されている。上記装飾物２０は、例えば、人間、動物、花等のキャラクターの玩具であり、上記収容容器本体２５に収容しうる高さ寸法であって、その最大寸法は上記収納容器本体２５に形成された孔部１１の内径よりも狭い幅寸法に形成されている。
また、上記台２９は、キャップ係止部１７の厚さ寸法分、上記側面部２３内側面２４から内方へ離間して設けられている。
【００１９】
以下、添付図面に示す実施例に基づき、本発明に係る収納容器１０の作用について詳細に説明する。
上記収納容器１０は、ジュース・お茶・水等、主として液体飲料水３５の収納容器として用いられ、また飴玉や菓子等の固形物の収納容器としても用いられる。上記飲料水等は上記収容容器本体２５に設けられた孔部１１を介して注入及び排出が行われる。
上記収容容器本体２５内に収容された上記飲料水等は、上記キャップ１４により密封される。
【００２０】
上記キャップ１４の上面側には人間、動物、花等のキャラクター玩具の装飾物２０が設けられており、上記飲料水・菓子等が満たされている収納容器１０として店頭において陳列されている時には、図１、図２及び図４に示すように、上記キャップ１４の下面側に設けられたネジ溝１９ｂからなる上記係合部１５ｂを上記収容容器本体２５に設けられたキャップ係止部１７のネジ溝１８に係合することにより、キャップ１４により孔部１１が閉止され、上記キャップ１４上面に載置された上記装飾物２０を上記収容容器１０の外部に露呈していることから、装飾物２０により上記収納容器１０が装飾されており、購買者の関心を惹くことができる。
この場合、上記のように、上記閉止面部２１は、収納容器本体２５の孔部１１に設けられたキャップ係止部１７の外径寸法Ｌと同一の直径Ｗを有していることから、キャップ１４は収納容器１０の孔部１１を確実に閉止する。
【００２１】
また、上記収納容器本体２５内より、上記飲料水３５を飲み干した後は、図３に示すように、装飾物２０を上記孔部１１を介して、収納容器本体２５内へ挿入し、上記キャップ１４の上面側に設けられた上記係合部１５ａのネジ溝１９ａを上記収容容器本体２５に設けられたキャップ係止部１７のネジ溝１８に係合する。
この場合、上記のように、装飾物２０の最大寸法は孔部１１の内径よりも小さく形成されていることから、孔部１１を介して装飾物２０を収納容器２５の内部へ挿入することができる。また、上記閉止面部２１と上端部３４との間の間隔寸法Ｌ２は上記キャップ係止部１７の高さ寸法Ｈと同一に形成されていると共に、上記台２９は、キャップ係止部１７の厚さ寸法分、上記側面部２３内側面から内方へ離間して設けられていることから、上記キャップ係止部１７は側面部２３，２３と台２９との間に収納された形で係合部１５ａに係合して固定される。これにより、上記キャップ１４上面に載置された装飾物２０が上記収容容器１０の内部に収容される。
【００２２】
上記収納容器２５は透明なＰＥＴ素材により形成されていることから、外部から上記装飾物２０を収納容器２５の内方に視認することができる。
また、上記のように、上記キャップ１４の側面部２３の上端部３４は、球状に形成された収納容器２５の表面部に密接しうるように略同一の曲率を有する凹面に形成されていることから、収納容器２５の外表面に密接する。
上記側面部２３の下端部３３は平面に形成されていることから、収納容器２５内に装飾物２０を収納容器２５内に配置した状態で、机等の上に安定して載置させることができる。
また、上記のように、キャップ１４の側面部２３の上端部３４は、机等の上に載置した場合であっても、安定し収納容器２５を支持することができ、置物として使用することが可能となる。
【００２３】
以下、図６に示す実施の形態に基づき、収納容器７０の参考例を詳細に説明する。
【００２４】
図７に示すように、収納容器７０は、通常時には上記キャップ状部材３８と上記収納容器本体２５により一体的に球状に形成されているが、図６に示すように、上記キャップ状部材３８を取り外し、反転させて脚部３９として使用し脚部３９上に収納容器本体２５を固定した場合にあっては、脚部３９を介して収納容器７０を机等の上に載置される置き物として用いられる。
【００２５】
図６に示すように、収納容器７０は、略半球状に形成された収納容器本体２５と、上記収納容器本体２５内部の内容物を収納又は排出しうる孔部１１と、上記孔部１１を閉止しうる閉止部材１２とにより構成されている。上記収納容器本体２５は、透明又は半透明のＰＥＴ素材により形成されている。本参考例にあっては、ＰＥＴにより形成されている場合を例に説明しているが、ガラス、プラスチック、アクリル等の素材による形成されていてもよい。
【００２６】
図８に示すように、上記孔部１１は、上記収納容器本体２５表面において、平面円形状に設けられている。上記孔部１１の周縁部５４には、上記収納容器７０の表面から上記収容容器７０の外方へ突出する係合突部４４が一体に形成され、上記係合突部４４は、上記収容容器本体２５に設けられた孔部１１の周縁においてリング状に突出形成されており、上記係合突部４４の外側面部にはネジ溝５５が形成されている。
【００２７】
本参考例にあっては、図８に示すように、上記閉止部材１２は、上記孔部１１を閉止しうる閉止部３６を有する接合部材３７と、上記接合部材３７が着脱可能に固定されるキャップ状部材３８とにより構成されている。
図９に示すように、上記接合部材３７は、略短円筒状に形成され、略円筒状の係合突部４５と、上記係合突部４５と一体に連接され、上記係合突部４５の径寸法よりも小さい径寸法により形成される略円筒状の固定突部４６により形成されている。
上記略円筒状の係合突部４５の内方において、上記係合突部４５と上記固定突部４６との接合部分に一体に形成された平面円形状の閉止面部５０とを有する。
【００２８】
上記閉止面部５０は、図９に示すように、上記収納容器本体２５の孔部１１に設けられた係合突部４４の外径寸法Ｐと同一の直径Ｑを有している。
また、上記閉止面部５０に設けられた係合突部４５の高さ寸法Ｒは、上記収納容器本体２５の係合突部４４の高さ寸法Ｓと略同一に形成されている。
【００２９】
図１１に示すように、上記短円筒状の接合部材３７の他面部の内側面５１には、上記収納容器本体２５の係合突部４４への係合突部４５を形成するネジ溝５２が設けられている。
図９に示すように、上記収納容器本体２５の係合突部４４の周縁部５４には、上記接合部材３７の係合突部４５に設けられたネジ溝５２と係合しうるネジ溝５５が設けられている。
なお、上記閉止面部５０に、Ｏリングやゴムパッキンを挿入することにより、接合部材３７を上記収納容器本体２５に装着時に係合突部４４に圧接させることにより、収納容器７０内に収納した収容物の漏れを防ぐように構成されてもよい。
【００３０】
図７に示すように、上記キャップ状部材３８の外方部４８は、上記収納容器本体２５の表面と略同一の曲率を有する凸面に形成され、上記閉止部材１２を構成する上記キャップ状部材３８は全体椀状に形成され、上記収納容器本体２５は略半球状に形成され、上記キャップ状部材３８は、上記収納容器本体２５と共に略球体を形成しうるように構成されている。
なお、本参考例の実施の態様においては、上記キャップ状部材３８と上記収納容器本体２５により一体的な形状が形成されている例として上記キャップ状部材３８は、上記収納容器本体２５と共に、略球体に形成されている場合を示しているが、上記キャップ状部材３８と、上記収納容器本体２５とにより形成される形状は、紡錘形や方形等であってもよい。
【００３１】
図１０に示すように、上記椀状のキャップ状部材３８の外方部４８の上端部５９には、上記接合部材３８の一面部に設けられた固定部４１と係合しうる接合部材固定凹部４７が設けられている。
上記椀状のキャップ状部材３８の内方部５６の上記上端部５９裏面には、上記接合部材３７の一面部に設けられた固定部４１と係合しうる接合部材固定凹部５３が設けられている。
上記接合部材固定凹部４７及び接合部材固定凹部５３は、略短円筒が同心円状に所定の間隔をあけて連接され、内部が空洞状の略短円筒の溝状に形成されている。
【００３２】
図９に示すように、上記接合部材３７の一面部に設けられた固定突部４６は、上記キャップ状部材３８に夫々設けられた略短円筒溝状の上記接合部材固定凹部４７及び接合部材固定凹部５３と略同一の長さ寸法、及び径寸法を有する短円筒状に形成される。
上記椀状のキャップ状部材３８の下端部５８は平面状に形成されている。
本参考例においては、上記収納容器本体２５内には水が封入されると共に小径の球体等の装飾物が水の中に浮遊する状態で配置されている。
【００３３】
以下、添付図面に示す参考例に基づき、本参考例に係る収納容器７０の作用について詳細に説明する。
上記収納容器７０は、主として液体及び液体内に装飾体４９を配置した収納容器７０として用いられ、上記液体及び装飾体４９等は上記収容容器本体２５に設けられた孔部１１を介して収納及び排出が行われる。
図６、図７に示すように、上記収納容器本体２５内に収納された上記装飾体４９等は、上記閉止部材１２により密封されている。
【００３４】
上記キャップ状部材３８と上記収納容器本体２５により一体的に略球体に形成され、上記収納容器本体２５内には、液体や装飾体４９等が満たされている収納容器７０として玩具売り場やゲームセンターの遊戯具内において陳列されているときには、図７に示すように、上記キャップ状部材３８の内方部５６に設けられた接合部材固定凹部５３を上記接合部材３７の一面部に設けられた固定突部４６に係合させ、上記接合部材３７の他面部に設けられた上記係合突部４５を、上記収納容器本体２５に設けられた係合突部４４に係合させることにより、上記キャップ状部材３８と上記収納容器本体２５とにより、上記収納容器７０は略全体球体に形成された収納容器７０を提供することができ、外観が良好で購買意欲を惹起する収納容器７０を提供することができる。
この場合、上記のように、上記閉止面部５０は、収納容器本体２５の孔部１１に設けられた係合突部４４の外径寸法Ｐと同一の直径Ｑを有しており、上記接合部材３７の上記係合突部４５には、ネジ溝５２が設けられ、上記収納容器本体２５の係合突部４４には、上記ネジ溝５２と係合しうるネジ溝５５が設けられていることから、上記接合部材３７を上記収納容器本体２５に係合することにより、上記接合部材３７は収納容器７０の孔部１１を確実に閉止する。
【００３５】
また、図１２に示すように、上記キャップ状部材３８の外方部４８に設けられた上記接合部材固定凹部４７を上記接合部材３７の一面部に設けられた上記固定突部４６に係合させ、上記接合部材３７の他面部に設けられた上記係合突部４５を、上記収納容器本体２５に設けられた係合突部４４に係合させることにより、上記椀状のキャップ状部材３８の下端部５８を載置面に載置させ、上記収納容器本体２５の脚部３９として用いることができ、上記キャップ状部材３８の下端部５８は平面に形成されていることから、上記収納容器本体２５内に液体や、装飾体４９を配置した状態で、机等の上に安定して載置させることができる。
【００３６】
図６、図７に示すように、上記収納容器本体２５はＰＥＴ素材等の透明素材により形成されていることから、外部から上記収納容器本体２５内に配置された液体や装飾体４９を収納容器２５の内方に視認することができる。
【産業上の利用可能性】
【００３７】
本件発明は、収納容器に係り、特に、使用前は収納容器の装飾機能を有し、収納容器内の取り出し後は、装飾物の陳列容器として使用でき、外観が良好で購買意欲を惹起する収納容器に適用できるものである。
【図面の簡単な説明】
【００３８】
【図１】図１は、本発明に係る収納容器の装飾物を収納容器外に露呈させた閉止部材により通常の閉止状態を示す全体側面図である。
【図２】図２は、本発明に係る閉止部材であるキャップを示す側面図である。
【図３】図３は、本発明に係る収納容器の装飾物を収納容器内に収容させた実施形態を示す全体側面図である。
【図４】図４は、本発明に係る収納容器のキャップを取り外した実施形態を示す側面図である。
【図５】図５は、本発明に係る収納容器のキャップの実施形態を示す平面図である。
【図６】図６は、参考例に係る被覆部材を脚部として使用することにより載置面に載置した状態を示す収納容器の第２の実施形態の全体斜視図である。
【図７】図７は、図６のA-A線断面であって、参考例に係る収納容器が、被覆部材と収納容器本体とにより略全体球状に形成されている実施形態を示す図である。
【図８】図８は、図６のA-A線断面であって、参考例にかかる収納容器を略球状に形成する場合において、閉止部材を被覆部材に係合させた状態で、収納容器本体から離間させた状態における実施形態を示す図である。
【図９】図９は、図６のA-A線断面であって、参考例にかかる収納容器を略球状に形成する場合において、閉止部材、被覆部材及び収納容器本体を夫々離間させた状態における実施形態を示す図である。
【図１０】図１０は、図６のA-A線断面であって、参考例にかかる収納容器に脚部を形成する場合において、閉止部材、被覆部材及び収納容器本体を夫々離間させた状態における実施形態を示す図である。
【図１１】図１１は、図６のA-A線断面であって、参考例にかかる収納容器に脚部を形成する場合において、閉止部材を被覆部材に係合させた状態で、収納容器本体から離間させた状態における実施形態を示す図である。
【図１２】図１２は、図６のA-A線断面であって、参考例に係る被覆部材を脚部として使用することにより載置面に載置した状態における実施形態を示す図である。
【符号の説明】
【００３９】
１０    収納容器
１１    孔部
１２    閉止部材
１４    キャップ
１５ａ  係合部
１５ｂ  係合部
１６    周縁部
１７    キャップ係止部
１８    ネジ溝
１９ａ  ネジ溝
１９ｂ  ネジ溝
２０    装飾物
２１    閉止面部
２１ａ  第一閉止面部
２１ｂ  第二閉止面部
２２    周縁部
２３    側面部
２４    内側面
２５    収納容器本体
２９    台部
３１    キャップ本体
３２    外側面部
３３    下端部
３４    上端部
３５    内容物（飲料水）
３６    閉止部
３７    接合部材
３８    キャップ状部材
３９    脚部
４１    固定部
４３    接合部
４４    係合突部
４５    係合突部
４６    固定突部
４７    接合部材固定凹部
４８    外方部
４９    装飾体
５０    閉止面部
５１    内側面
５２    ネジ溝
５３    接合部材固定凹部
５４    周縁部
５５    ネジ溝
５６    内方部
５８    下端部
５９    上端部
６０    開口部
６１    外表面部
６２    外表面部
６３    載置面
６４    脚部
７０    収納容器
【図１】
0003826143.tif 000002
【図２】
0003826143.tif 000003
【図３】
0003826143.tif 000004
【図４】
0003826143.tif 000005
【図５】
0003826143.tif 000006
【図６】
0003826143.tif 000007
【図７】
0003826143.tif 000008
【図８】
0003826143.tif 000009
【図９】
0003826143.tif 000010
【図１０】
0003826143.tif 000011
【図１１】
0003826143.tif 000012
【図１２】
0003826143.tif 000013